(57)【特許請求の範囲】
【請求項１】
本体の一側面に設置され，片側に鋸歯状の凹凸部が形成されたプーリおよび前記プーリ駆動手段と，
前記プーリに隣接するように設置された加圧ローラおよび揚網綱分離用ラチェットと，
前記凹凸部の前面に設置された掛け縄誘導棒とを備えた揚網機を用いて，
漁網に掛け縄を所定の間隔で連結し，それと結んだ揚網綱を引き揚げる事を特徴とする魚網の自動揚網方法。
【請求項２】
定置網に前記揚網綱と前記掛け縄とを設け，前記揚網機を漁船に複数個設置してなることを特徴とする請求項１に記載の魚網の自動揚網方法。
【請求項３】
旋網の魚捕部に前記揚網綱と前記掛け縄とを設け，前記揚網機を漁船に複数個設置してなることを特徴とする請求項１に記載の魚網の自動揚網方法。
【請求項４】
棒受け網に前記揚網綱と前記掛け縄とを設け，前記揚網機を漁船に複数個設置してなることを特徴とする請求項１に記載の魚網の自動揚網方法。
【請求項５】
刺し網に前記揚網綱と前記掛け縄とを設け，前記揚網機を漁船に複数個設置してなることを特徴とする請求項１に記載の魚網の自動揚網方法。
【請求項６】
パッチ網に前記揚網綱と前記掛け縄とを設け，前記揚網機を漁船に複数個設置してなることを特徴とする請求項１に記載の魚網の自動揚網方法。
【発明の詳細な説明】
【０００１】
【発明の属する技術分野】
本発明は，漁網の自動揚網方法に係り，特に労働力と操業時間の短縮ができ，漁獲物の損傷と脱落を防ぐ事のできる漁網の自動揚網方法に関する。
えるため，非効率的である。
【０００２】
【従来の技術】
一般的に，定置網漁業，旋網漁業，棒受け網漁業，刺し網漁業，パッチ網漁業等で，揚網する過程は，最も多くの人力を必要とし，作業も重たい操業過程である。この操業過程のため，漁船には多数の人が乗船しなければならないと言う問題があった。
【０００３】
たとえば，定置網漁業においては，現在リングによって揚網を行うように操業しているが，このような揚網方法においては，リングを続けて交代させながら揚網しなければならないため，操業に多くの人力と時間を要する。漁場の規模にもよるが，一度の揚網で巻き上げなくてはならないリングの数は３０〜５０個にも達する。操業は複雑になり，特にリングを巻き上げる際，揚網速度が均一でないと，魚群が逃避するおそれがあるため，作業には熟練を要する。
【０００４】
また，旋網漁業においては，パワーブロックで身網を揚網した後，魚捕部を揚網する時は，ほとんど人力によらなくてはならず，操業時間も長くかかる。その他の漁具の揚網についても，上述の方法と同様に，揚網の過程に多くの人手が必要であり，乗船員数も増えるため，非効率的である。
【０００５】
【発明が解決しようとする課題】
本発明は，このような問題点に鑑みてなされたもので，その目的とするところは，漁業における揚網作業を自動化する事により，操業人力を大幅に削減し，労働時間の短縮ができる漁網の自動揚網方法を提供することである。
【０００６】
【課題を解決するための手段】
前述した課題を達成するために本発明は，本体の一側面に設置され，片側に鋸歯状の凹凸部が形成されたプーリおよびプーリ駆動手段と，プーリに隣接するように設置された加圧ローラおよび揚網綱分離用ラチェットと，凹凸部の前面に設置された掛け縄誘導棒とを備えた揚網機を用いて，漁網に掛け縄を一定の間隔で連結し，それと結んだ揚網綱を引き揚げる事を特徴とする漁網の自動揚網方法である。
【０００７】
定置網漁業に適用する際には，網に揚網綱と掛け縄とを設け，揚網機を漁船に複数個設置して操業する。
【０００８】
旋網漁業に適用する際には，旋網の魚捕部に揚網綱と掛け縄とを設け，揚網機を漁船に複数個設置して操業する。
【０００９】
棒受け網に適用する際には，網に揚網綱と掛け縄とを設け，揚網綱と前綱を結び，張り出し竹に沿って張り，揚網機を漁船に複数個設置して操業する。
【００１０】
刺し網に適用する際には，網に揚網綱と掛け縄とを設け，揚網機を漁船に複数個設置して操業する。浮き刺し網，底刺し網，旋き刺し網のいずれにも適用する事ができる。
【００１１】
パッチ網に適用する際には，網に揚網綱と掛け縄とを設け，揚網機を漁船に複数個設置して操業するのがよい。
【００１２】
【発明の実施の形態】
以下，図面に基づいて，本発明の実施の形態を詳細に説明する。
図１は，本発明の一実施の形態による揚網機１００の全体斜視図，図２は，平面図である。本体１１０の一側面には，油圧モータ１２０が設置されており，他側面には，片面が鋸歯状に形成され，油圧によって駆動するＶ溝プーリ１２２と，加圧ローラ１２４，揚網綱分離用ラチェット１２６，掛け縄誘導棒１４０が設置されている。
【００１３】
漁網１１２は，掛け縄１１６により一定の間隔で揚網綱１１４に連結され，さらに揚網機本体１１０に連結される。
【００１４】
水中に投網された漁網１１２を揚網する時は，揚網綱１１４をＶ溝プーリ１２２のＶ溝に掛け，油圧モータ１２０を駆動させる。揚網綱１１４はＶ溝プーリ１２２と加圧ローラ１２４により引き揚げられるが，この時，掛け縄１１６は揚網綱１１４と一緒に引き揚げられず，掛け縄誘導棒１４０によって分けられ，Ｖ溝プーリ１２２の片面に形成された鋸歯状の凸凹部１３０の間に入って揚網機１００を通過する。さらに，揚網綱１１４は，揚網綱分離用ラチェット１２６によってＶ溝プーリ１２２から再び引き離される。
【００１５】
このように，本発明の一実施の形態によれば，一條に連結された揚網綱１１４を揚網機１００で巻き上げていくので，大幅に労働力と作業時間の削減ができる。定置網におけるリングの巻入れ，巻出し等の煩雑さも無くなり，また，均一な速度で揚網できるので，魚群の逃避も防ぐ事ができる。
【００１６】
揚網機は，漁具の種類及び大きさ，漁場の水深等の条件にもよるが，一隻の漁船に２〜８機を使えば良い。
【００１７】
以下，漁法の種類別に具体的に説明する。
図３，図４は本発明の一実施の形態による揚網機を，定置網漁業に用いた時の動作を示す図である。
揚網機を，操業舷側に，漁具の規模や漁場の水深によって３〜５台設置し，揚網綱１１４をＶ溝プーリ１２２に掛けて揚網すればよく，既存のリングの付いていた所に揚網綱１１４を掛け縄１１６を通して漁網１１２に連結すればよい。定置網の揚網は，船上に引っ張り上げるのではなく，水面上までだけ引き上げながら漁網の中に入って来た魚を魚捕部の方へ追い込んで行けばいいので，揚網機は図３のように漁船の舷側の外に配置されるようにする。
【００１８】
次に，図５，図６を参照しながら本発明の一実施の形態による揚網機を，旋網漁業に適用するときの動作について説明する。
旋網漁業の操業過程は，投網過程と揚網過程とで成るが，投網過程は漁船の航走に伴い漁網が海中に投入されていくので，ほとんど人力を必要としない。揚網過程は，身網と魚捕部とに分かれ，大型の身網は主に船尾にある揚網機あるいはパワーブロックによってすでに機械化されている。魚捕部の揚網は舷側に設置されたサイドローラ等によって人力で行われて来たが，本発明の一実施の形態による揚網機を用いる事により，労働力と時間の大幅な削減が可能になる。
【００１９】
図５に示したように，揚網機１００を操業舷側に，漁具と漁船の規模に応じて２〜４台ずつ設置し，身網の揚網が終わると揚網綱１１４をＶ溝プーリ１２２に掛け，漁網１１２を船上に揚網すればよい。漁網１１２に連結される揚網綱１１４と，掛け縄１１６は，図６に示したように配置するといい。
【００２０】
次に，図７を参照しながら本発明の一実施の形態による揚網機を，棒受け網漁業に適用するときの動作について説明する。
棒受け網の揚網は，先ず前綱（引綱）を引っ張って魚群を包囲してから，舷側に設置したサイドローラ等によって人力で行われて来たが，本発明の一実施の形態による揚網機を用いる事により，労働力と時間の大幅な削減が可能になる。
【００２１】
棒受け網の揚網綱１１４は図示したように前綱に連結させればよい。
【００２２】
次に，図８を参照しながら本発明の一実施の形態による揚網機１００を，刺し網漁業に適用するときの動作について説明する。
刺し網の揚網過程は，海中に投入した漁具を船上に引き揚げる作業であり，一部機械化されているが，揚網の際は，漁獲物が網目に絡まったまま揚網する為，損傷が多く，重労働を要するものであった。
【００２３】
図示したように，浮き刺し網で揚網綱１１４を設置しておき，この二條の揚網綱１１４を両側から引っ張ると，網は自動的に揚網されるので，労働力と時間の大幅な削減が可能になる。また，漁獲物のかかっている網の部分は，力を大きく受けずに船上に引き揚げられるので，漁獲物の損傷や脱落を大きく減らす事ができる。底刺し網についても，同様に適用する事ができる。
【００２４】
次に，図９を参照しながら本発明の一実施の形態による揚網機１００を，汽船パッチ網漁業に適用するときの動作について説明する。
図示したように，汽船パッチ網漁業において，荒手網と神網は揚網用ドラムによって容易に揚網できるが，袋網は二隻の船が互いに近寄って網を裏返すように揚網するので，これもまた多くの労働力を必要するものであった。
【００２５】
図示したように，揚網機１００を船の向かい合った舷側に設置し，揚網綱１１４を，両方の船から２〜３本ずつ引っ張り上げると，袋網はついて上がって来るので，労働力と時間の大幅な削減が可能になる。
【００２６】
以上，添付図面を参照しながら本発明にかかる漁網の自動揚網方法の好適な実施形態について説明したが，本発明はかかる例に限定されない。当業者であれば，特許請求の範囲に記載された技術的思想の範疇内において各種の変更例または修正例に想到し得ることは明らかでありそれについても当然に本発明の技術的範囲に属するものと了解される。
【００２７】
【発明の効果】
以上，詳細に説明したように本発明によれば，漁業における揚網作業を自動化する事により，操業人力を大幅に削減し，労働時間の短縮ができる漁網の自動揚網方法を提供することができる。
【図面の簡単な説明】
【図１】  本発明の一実施の形態による揚網装置の全体斜視図である。
【図２】  本発明の一実施の形態による揚網装置の平面図である。
【図３】  本発明の一実施の形態による揚網装置を定置網に適用した動作説明図である。
【図４】  本発明の一実施の形態による揚網装置を定置網に適用した例である。
【図５】  本発明の一実施の形態による揚網装置を旋網，棒受け網，刺し網，パッチ網に適用した動作説明図である。
【図６】  本発明の一実施の形態による揚網装置を旋網に適用した例である。
【図７】  本発明の一実施の形態による揚網装置を棒受け網に適用した例である。
【図８】  本発明の一実施の形態による揚網装置を刺し網に適用した例である。
【図９】  本発明の一実施の形態による揚網装置をパッチ網に適用した例である。
【符号の説明】
１００  揚網機
１１０  本体
１１２  漁網
１１４  揚網綱
１１６  掛け縄
１２０  油圧モータ
１２２  Ｖ溝プーリ
１２４  加圧ローラ
１２６  揚網綱分離用ラチェット
１３０  凹凸部
１４０  誘導棒
【図１】
0003861258.tif 000002
【図２】
0003861258.tif 000003
【図３】
0003861258.tif 000004
【図４】
0003861258.tif 000005
【図５】
0003861258.tif 000006
【図６】
0003861258.tif 000007
【図７】
0003861258.tif 000008
【図８】
0003861258.tif 000009
【図９】
0003861258.tif 000010